(57)【特許請求の範囲】
【請求項１】
機器筐体の開口側および扉側のいずれか一方に設けられるストッパ係止具と、
他方に設けられるストッパ位置可変係止具と、
これらのストッパ係止具とストッパ位置可変係止具との間に掛け渡され、上記ストッパ係止具およびストッパ位置可変係止具側に両端側の折曲部がそれぞれ係止されるストッパとを具備し、
上記ストッパ位置可変係止具は、ストッパの折曲部が開扉動作と連動してスライド可能にガイドされるストッパガイド孔を有するスライドガイド部を備えるとともに、
上記ストッパ位置可変係止具には、所定の開扉角度に上記ストッパを介して、上記扉を保持させることができる複数のストッパ係止孔がストッパ位置可変係止具の長手方向に沿って設けられ、
上記ストッパの折曲部を所望のストッパ係止孔に自然落下で係合して係止させることにより、上記扉を、上記開扉角度の開放状態に保持し、かつ、上記ストッパの折曲部にはフランジ部を有するストッパカラーが設けられたことを特徴とする扉開閉装置。
【請求項２】
上記ストッパは長手方向に伸長可能な伸縮手段を備えるとともに、上記ストッパは、機器筐体側に係合する機器筐体側ストッパ部と、扉側に係合する扉側ストッパ部と、この両ストッパ部間に介在し、上記両ストッパ部側へ伸長作用力を働かせるように設けられる弾性バネとより構成されたことを特徴とする請求項１記載の扉開閉装置。
【発明の詳細な説明】
【技術分野】
【０００１】
この発明は、通信機等の機器筐体に開閉自在に設けられる扉の開閉装置に係り、特に機器の取扱者が扉の開閉を行うにあたって、安全に取扱うことができる扉開閉装置に関する。
【背景技術】
【０００２】
従来、この種の扉開閉装置を備えた機器の設置工事や修理等の際には、通常扉を開いた状態で作業が行なわれる。
【０００３】
開扉した状態で機器の作業をする際に、この扉が作業者や取扱者の意図に反して外力が加わったり、あるいは取扱者自らが不用意に外力をかけた場合、扉が回動して取扱者に当たったり、あるいは機器筐体側との間に挟まれて怪我をしたりする等の安全面に問題があった。このため、扉を開放した状態で作業を行う場合には、扉を開放状態にて機械的に保持させ、不用意に扉が閉じることのないようにした扉開閉装置が採用されている。
【０００４】
このような、扉開閉装置として、実開平５−７５８９１号公報（特許文献１参照）に開示されたものがある。
【０００５】
この種の扉開閉装置として、図６に示すように、開扉状態を意図的に固定した構成の扉開閉装置１が用いられている。
【０００６】
この扉開閉装置１によれば、機器筐体２の前面開口にヒンジ３を介して開閉自在な扉４が設けられ、この扉４は、機器筐体２の開口面から所望の角度に開いた状態で、扉４が開閉しないように扉ストッパ装置５を設けている。
【０００７】
この扉ストッパ装置５は、機器筐体２の開口下縁部２ａに固定される脚部６ａと、扉４の裏側下縁部４ａの所定位置に固定される脚部６ｂと、この両脚部６ａ，６ｂに掛け渡されてそれぞれネジ７ａ，７ｂにより固定されるストッパ８とより構成されている。
【０００８】
扉ストッパ装置５は、その両脚部６ａ，６ｂの固定される機器筐体２の開口下縁部２ａおよび扉４の裏側下縁部４ａの位置を幾何学的に選択することにより、扉４の開扉角度を所望の角度に設定することができる。
【０００９】
このように、扉開閉装置１によれば、取扱者が扉４を所望の開扉角度に開放して作業を行う場合に、この開扉角度に合わせて扉４が動かないように保持させることができる。
【特許文献１】実開平５−７５８９１号公報（第１頁「構成」の欄および図２）
【発明の開示】
【発明が解決しようとする課題】
【００１０】
扉開閉装置１の構成によれば、機器の作業時等取扱い時に専ら扉ストッパ装置５を用いて、取扱者が安全に作業を行うことのできるものであるが、作業時等の取扱いの都度、扉ストッパ装置５を設置せねばならず、また、作業を行なわない通常時には、扉４が保持された状態になく、取扱者が、機器を取り扱うにあたって安全面に問題があった。
【００１１】
本発明は、上記の事情に鑑みてなされたもので、機器の作業時等の取扱い時に関わらず、常に扉のストッパ機能が作用し、取扱者が安全に機器を取り扱うことのできる扉開閉装置を提供することを目的とする。
【００１２】
また、本発明の他の目的は、扉を開く際に、所望の開扉角度が選定できるようにすることにより、取扱者が機器をより安全に取り扱うことができる扉開閉装置を提供することを目的とする。
【課題を解決するための手段】
【００１３】
上記目的を達成するために、本発明によれば、機器筐体の開口側および扉側のいずれか一方に設けられるストッパ係止具と、他方に設けられるストッパ位置可変係止具と、
これらのストッパ係止具とストッパ位置可変係止具との間に掛け渡され、上記ストッパ係止具およびストッパ位置可変係止具側に両端側の折曲部がそれぞれ係止されるストッパとを具備し、上記ストッパ位置可変係止具は、ストッパの折曲部が開扉動作と連動してスライド可能にガイドされるストッパガイド孔を有するスライドガイド部を備えるとともに、上記ストッパ位置可変係止具には、所定の開扉角度に上記ストッパを介して、上記扉を保持させることができる複数のストッパ係止孔がストッパ位置可変係止具の長手方向に沿って設けられ、上記ストッパの折曲部を所望のストッパ係止孔に自然落下で係合して係止させることにより、上記扉を、上記開扉角度の開放状態に保持し、かつ、上記ストッパの折曲部にはフランジ部を有するストッパカラーが設けられたことを特徴とする扉開閉装置を提供する。
【００１４】
上記目的を達成するために、本発明によれば、上記ストッパは長手方向に伸長可能な伸縮手段を備えるとともに、上記ストッパは、機器筐体側に係合する機器筐体側ストッパ部と、扉側に係合する扉側ストッパ部と、この両ストッパ部間に介在し、上記両ストッパ部側へ伸長作用力を働かせるように設けられる弾性バネとより構成されたことを特徴とする請求項１記載の扉開閉装置扉開閉装置を提供する。
【発明の効果】
【００１５】
本発明によれば、機器の扉を開くにあたって、常に扉のストッパ機能を作用させることにより、取扱者がより安全に機器を取り扱うことができる。
【００１６】
また、取扱者が所望の開扉角度で、機器を取り扱うことができるので、機器の設置や修理等の作業をより安全に行うことができる扉開閉装置を提供することができる。
【発明を実施するための最良の形態】
【００１７】
本発明に係る扉開閉装置の実施形態について、添付図面を参照して説明する。
【００１８】
図１〜図５は、本発明の実施形態を示し、図１は、扉開閉装置１０の概要を示す。
【００１９】
この扉開閉装置１０は、リレー，タイマ等の制御機器を内蔵し、前面に開口部１１を有する機器筐体１２と、この機器筐体１２の開口部１１前方に開閉自在に設けられる扉１３と、この扉１３が所定の角度にまで開放された際に、この開放された状態に保持させる扉ストッパ装置１４とより構成される。
【００２０】
扉ストッパ装置１４は、機器筐体１２の開口部底部に固設されるストッパ係止具１５と、扉１３の内側底部に固設されるストッパ位置可変係止具１６と、このストッパ位置可変係止具１６とストッパ係止具１５の間に掛け渡される係止メンバ１７とより構成される。
【００２１】
ストッパ係止具１５は、係止メンバ１７の一端側に設けた折曲部１７ａを軸支するストッパ係止孔１５ａが形成される。
【００２２】
ストッパ位置可変係止具１６は、側断面がコ字状の長尺のもので、扉１３側へ図２に示すように扉１３側に締付ネジ１８にて固定される固定面部１９と、係止メンバ１７の一端側をスライド自在にガイドするストッパガイド部２０と、係止メンバ１７の一端側を係止させるストッパ係止部２１とを備えている。
【００２３】
ストッパガイド部２０には、係止メンバ１７の一端側をスライド自在にガイドするために長手方向に細長いストッパガイド孔２０ａが設けられる。
【００２４】
ストッパ係止部２１には、その長手方向に沿って所定の間隔を取って複数の係止孔、例えば３個のストッパ係止孔２１ａ〜２１ｃが設けられる。
【００２５】
係止メンバ１７には、例えば金属製の剛性を有する一体成形された棒状のもので、その他端側に折曲部１７ｂが形成され、この折曲部１７ｂがストッパ位置可変系止具１６のストッパガイド孔２０ａにスライドカラー２２を介してスライド自在に支持されている。
【００２６】
このスライドカラー２２は、スライダブロックとしてストッパ位置可変係止具１６のストッパガイド孔２０ａにスライド自在に設けられ、ストッパガイド孔２０ａは、扉１３を開閉する際に、所望の開閉角度に対応して所要の長孔に形成される。
【００２７】
このスライドカラー２２は、具体的には図２および図３に示すように、小径の中軸部２２ａと、その軸方向の両側にフランジ部２２ｂ，２２ｂを備えている。このフランジ部２２ｂ，２２ｂは、スライドカラー２２がストッパ位置可変係止具１６のストッパガイド孔２０ａにストッパ係止部２１のストッパガイド孔２０ａに取り付けられた状態で、このストッパガイド孔２０ａの長手方向にスライド自在になっている。
【００２８】
また、ストッパ位置可変係止具１６のストッパ係止部２１側に係止される係止メンバ１７の折曲部１７ｂは、扉１３が所定角度まで開放されると、その折曲部１７ｂの先端部１７ｂ１がストッパ位置可変係止具１６のストッパ係止部２１側に係止されるようになっている。
【００２９】
係止メンバ１７の折曲部１７ｂの先端部には、ストッパカラー２３が取り付けられる。このストッパカラー２３は、具体的には、図２および図３に示すように、ストッパ位置可変係止具１６のストッパ係止孔２１ａより小径の中軸部２３ａと、この中軸部２３ａのストッパガイド部２０に面する側にフランジ部２３ｂを備え、係止メンバ１７の折曲部１７ｂが上方へ持ち上げる力が作用してもフランジ部２３ｂがスライドカラー２２側のフランジ部２２ｂ側に当接して抜け出ないようになっている。
【００３０】
また、ストッパカラー２３は、潤滑性および耐磨耗性を有する、例えばナイロン製のものを用いることにより、良好なストッパ作用が得られる。
【００３１】
このように、ストッパカラー２３はフランジ部２３ｂがストッパガイド部２０に面する側に設けることにより、係止メンバ１７の折曲部１７ｂを、取扱者にて持ち上げることにより、折曲部１７ｂ側のストッパカラー２３が、ストッパ位置可変係止具１６側のストッパ係止孔２１ａ側から外れ、係止メンバ１７の折曲部１７ｂがストッパ係止部２１上を長手方向にスライド可能となる。
【００３２】
また、ストッパ位置可変係止具１６のストッパ係止孔２１ａ〜２１ｃは、扉１３が所定の開放角度になると、このストッパ係止孔２１ａ〜２１ｃの何れかに係止メンバ１７の折曲部１７ｂが自然落下して係合し、扉１３の開閉ができないようになっている。
【００３３】
具体的には、図４に示すように、開扉角度を、例えば９０°に設定した場合におけるストッパ係止具１５側に係止される係止メンバ１７の折曲部１７ａの回動中心からストッパ係止孔２１ａまでの有効長さをｘ１、例えば８０°に設定した場合におけるストッパ係止孔２１ｂまでの有効長さをｘ２、７０°に設定した場合におけるストッパ係止孔２１ｃまでの有効長さをｘ３としている。
【００３４】
このストッパ係止孔２１ａには、図２に示すように、扉１３が、例えば９０°開いた際に、係止メンバ１７の折曲部１７ｂが自然落下して嵌り込み、扉１３の開閉ができないように保持される。
【００３５】
ストッパ係止孔２１ｂは、図１に示すように、ストッパ係止孔２１ａと同様に扉１３が、例えば８０°開いた際に、係止メンバ１７の折曲部１７ｂが自然落下してその先端部１７ｂ１が嵌り込み、扉１３の開閉ができないように保持される。
【００３６】
また、ストッパ係止孔２１ｃは、ストッパ係止孔２１ｂと同様に扉１３が、例えば７０°開いた際に、係止メンバ１７の折曲部１７ｂの先端部１７ｂ１が自然落下して嵌り込み、扉１３の開閉ができないように保持される。
【００３７】
従って、各ストッパ係止孔２１ａ〜２１ｃの有効長さをｘ１〜ｘ３を選択し、何れかを設定することにより、所望の開扉角度が得られると共に、同角度にて扉が動かないように保持させることができる。
【００３８】
次に、扉開閉装置１０の扉ストッパ装置１４の開扉角度の設定作業手順について図１〜図４を参照して説明する。
【００３９】
開扉角度を９０°に設定する場合には、図１に示すように、係止メンバ１７の折曲部１７ａを、機器筐体１２側のストッパ係止具１５に軸支すると共に、係止メンバ１７の折曲部１７ｂをストッパ位置可変係止具１６のストッパガイド孔１６ｂ１およびストッパ係止孔２１ａにスライド可能に取り付ける。
【００４０】
このようにすることにより、閉扉状態から扉１３を７０°まで開放すると、係止メンバ１７の折曲部１７ｂの先端部１７ｂ１が、図１および図４に示すストッパ係止孔２１ｃに自然落下して係止される。この折曲部１７ｂの先端部１７ｂ１がストッパ係止孔２１ｃに係止されることにより、扉１３は、７０°の開扉角度にて保持された状態となる。
【００４１】
次に、扉１３を８０°の開扉角度を所望する場合には、取扱者にて係止メンバ１７の折曲部１７ｂを持ち上げて、上記係止状態を解除すると共に、扉１３を更に開扉角度を８０°まで開く。すると、開扉角度７０°のときと同様に、係止メンバ１７の折曲部１７ｂの先端部１７ｂ１がストッパ係止孔２１ｂに自然落下して係止し、扉１３は、８０°の開扉角度にて保持された状態となる。
【００４２】
更に、扉１３を９０°の開扉角度を所望する場合には、取扱者にて係止メンバ１７の折曲部１７ｂを持ち上げて、上記係止状態を解除すると共に、扉１３を更に開扉角度を９０°まで開く。すると、開扉角度８０°のときと同様に、係止メンバ１７の折曲部１７ｂの先端部１７ｂ１がストッパ係止孔２１ａに自然落下して係止し、扉１３は、９０°の開扉角度にて保持された状態となる。
【００４３】
このように、取扱者の所望する開扉角度を予め設定するか、現場での開扉角度の状況を見て選択設定することができる。
【００４４】
従って、取扱者が開扉した状態での作業時に、不意に扉１３に対して、例えば閉扉方向の外力が掛かかったとしてとも、開扉のまま保持された状態にあるため、取扱者が作業中において、不意に扉１３に当たったり、扉１３と機器筐体１２との間に挟まり怪我をすることがなく、機器を安全に取り扱うことのできる扉開閉装置１０を提供することができる。
【００４５】
なお、本発明に係る扉開閉装置１０の扉ストッパ装置１４は、機器筐体１２側にはストッパ係止具１５が、また扉１３側にストッパ位置可変係止具１６を設けた構成としたが、これらを逆の関係、すなわち、ストッパ係止具１５を扉１３側に、また、ストッパ位置可変係止具１６を機器筐体１２側に設けた構成としてもよい。
【００４６】
更に、ストッパ位置可変係止具１６には、ストッパガイド部２０を設けたが、必ずしも必要なものではない。
【００４７】
すなわち、ストッパ係止部２１の複数のストッパ係止孔２１ａ〜２１ｃの何れかを開扉時に予め選択し、係止メンバ１７の折曲部１７ｂ側を、例えば手操作により、一旦持ち上げ、所望のストッパ係止孔２１ａ〜２１ｃの何れかへ落とし込むことにより、扉開閉装置として用いることができる。
【００４８】
更に、本発明に係る扉開閉装置１０に用いられる係止メンバ１７は、金属製の剛性を有する一体成形された棒状のものであるが、扉１３のストッパとして必要限度の引張りおよび圧縮強度を有する、例えばプラスチック製で筒状のものであってもよい。
【００４９】
更にまた、本発明に係る扉開閉装置１０に用いられる係止メンバ１７は、図５に示すように、２つのストッパ部材を組み合わせて構成した係止メンバ３０を用いることもできる。
【００５０】
この係止メンバ３０は、長手方向に伸長可能な伸縮手段を備え、ストッパ係止具１５およびストッパ位置可変系止具１６側に係止された際、伸長方向の作用力が働くように取り付けられるものである。
【００５１】
具体的には、図５に示すように、図１に示す機器筐体１２側に係合する、機器筐体側係止部３１と、図示しない扉側係止部３２と、この両係止部３１，３２間に介在させる弾性バネ３３とより構成される。
【００５２】
機器筐体側係止部３１は、折曲部３１ａおよびこの折曲部３１ａよりやや径小の中軸部３１ｂを有する。
【００５３】
扉側係止部３２は、折曲部３２ａと、機器筐体側係止部３１の中軸部３１ｂおよび弾性バネ３３を受容する有底筒状の凹陥部３２ｂを有する。
【００５４】
弾性バネ３３は、扉側係止部３２の凹陥部３２ｂの底部に一端側が固定される一方、他端側が機器筐体側係止部３１の中軸部３１ｂの先端部に固定される。
【００５５】
この弾性バネ３３は、扉側係止部３２側に形成される凹陥部３２ｂの底部と、機器筐体側係止部３１側に形成される中軸部３１ｂの先端部との間に介在させた状態で、伸長方向の作用力が働くように組み込まれる。
【００５６】
すなわち、この係止メンバ３０の有効長さｘ４は、図４に示す有効長さｘ１〜ｘ３よりも長い有効長さｘ４（ｘ４＞ｘ１〜ｘ３）を有するものである。
【００５７】
従って、扉ストッパ装置１４に上記係止メンバ３０を用いた場合には、弾性バネ３３の伸長作用により、扉１３側が常に開放される方向に働くようになっている。
【００５８】
また、係止メンバ３０を扉開閉装置１０に採用した場合には、扉１３が常に開放されるようになるので、取扱者による機器の修理等の作業や点検をより安全に行うことができる。
【図面の簡単な説明】
【００５９】
【図１】本発明の扉開閉装置の実施形態に係る扉ストッパ装置の要部を示す斜視図。
【図２】図１の扉ストッパ装置のＡ矢視方向から見た拡大図。
【図３】図２のＢ−Ｂ線に沿う断面図。
【図４】ストッパ位置可変係止具の縦断面図。
【図５】本発明の扉開閉装置に用いる係止メンバの他の実施例を示す一部縦断断面図。
【図６】従来の扉開閉装置の要部を示す斜視図。
【符号の説明】
【００６０】
１０  扉開閉装置
１１  開口部
１２  機器筐体
１３  扉
１４  扉ストッパ装置
１５  ストッパ係止具
１５ａ，２１ａ〜２１ｃ  ストッパ係止孔
１６  ストッパ位置可変係止具
１７，３０  係止メンバ
１７ａ，１７ｂ  折曲部
１７ｂ１  先端部
１８  締付ネジ
１９  固定面部
２０  ストッパガイド部
２０ａ  ストッパガイド孔
２１  ストッパ係止部
２２  スライドカラー
２２ａ，２３ａ  中軸部
２２ｂ，２３ｂ  フランジ部
２３  ストッパカラー
３１  機器筐体側係止部
３１ａ，３２ａ  折曲部
３１ｂ  中軸部
３２  扉側係止部
３２ｂ  凹陥部
３３  弾性バネ
ｘ１〜ｘ４  有効長さ
【図１】
0004621437.tif 000002
【図２】
0004621437.tif 000003
【図３】
0004621437.tif 000004
【図４】
0004621437.tif 000005
【図５】
0004621437.tif 000006
【図６】
0004621437.tif 000007